(57)【特許請求の範囲】
【請求項１】
圧縮機を用いた冷凍サイクルの冷却器により生成された冷気をファンで強制的に循環させ、扉を有する冷蔵庫において、前記圧縮機の運転時間を積算する手段と、一日の各時間帯ごとの前記扉の平均開閉回数を求める手段と、この一日の各時間帯ごとの前記扉の平均開閉回数を使用状況に合わせ更新する手段と、前記圧縮機の運転時間が設定した時間となった場合、前記各時間帯ごとの扉の平均開閉回数を比較する手段と、前記扉の平均開閉回数の最も少ない時間帯が複数ある場合は、現時点よりも最も遠い時間帯を霜取り時間帯として選択する手段とを備えたことを特徴とする冷蔵庫の制御装置。
【請求項２】
圧縮機を用いた冷凍サイクルの冷却器により生成された冷気をファンで強制的に循環させ、扉及び外気温度検出手段を有する冷蔵庫において、前記圧縮機の運転時間を積算する手段と、一日の各時間帯ごとの前記扉の平均開閉回数を求める手段と、この一日の各時間帯ごとの前記扉の平均開閉回数を使用状況に合わせ更新する手段と、前記外気温度検出手段が検出した外気温度から単位時間毎の平均外気温度を演算する手段と、前記圧縮機の運転時間が設定した時間となった場合、前記各時間帯ごとの扉の平均開閉回数を比較する手段と、前記扉の平均開閉回数の最も少ない時間帯が複数ある場合は、前記平均外気温度が最も低い時間帯を霜取り時間帯として選択する手段とを備えたことを特徴とする冷蔵庫の制御装置。
【請求項３】
一日を所定時間ずつの時間帯に分け時間帯毎のその日の扉開閉回数と、ブロック毎の複数日の扉平均開閉回数を持ち一日経過した時点で前記その日の扉開閉回数から複数日の扉平均開閉回数をブロック毎に更新しこれを一日の各時間帯毎の扉平均開閉回数として用いることを特徴とする請求項１又は請求項２記載の冷蔵庫の制御装置。
【請求項４】
霜取り時間帯を選択するタイミングは電源投入または前回の霜取り終了後より圧縮機運転積算時間が８時間経過した時点で行うことを特徴とする請求項１又は請求項２記載の冷蔵庫の制御装置。
【発明の詳細な説明】
【０００１】
【発明の属する技術分野】
この発明は、冷蔵庫の制御装置に関するものである。
【０００２】
【従来の技術】
例えば特開平５−２６５６４号公報に示された従来の冷蔵庫の制御では、圧縮機の運転時間が設定された時間に達したときに、１日を複数個の時間帯に区分した各時間帯の圧縮機平均運転時間データを現時間帯の前記データより順に加算し、その値が圧縮機の最大運転時間に達するまで行い、その範囲内で最も開閉率が低い時間帯を霜取り可能な時間帯として選び、その時間帯で霜取りを行うようになっている。
【０００３】
【発明が解決しようとする課題】
従来の冷蔵庫制御は以上のように行われるので、霜取り可能な時間帯として選ばれた範囲内で最も使用頻度が低い時間帯が選ばれる。しかし、圧縮機運転率を加算した結果、扉開閉率を選ぶ範囲が昼間の時間帯となった場合、その中で扉開閉率が最も少ない時間帯を選ぶ為、霜取りは昼間行うことになる。従って昼間冷蔵庫を頻繁に使用しているときに霜取りが入れば、保存している食品の温度に影響を与えることになるという問題点があった。
【０００４】
また、昼間霜取りを行った後の圧縮機の運転率は夜間の霜取り後よりも高くなる為、消費電力量に影響を与えるという問題点もあった。
【０００５】
この発明は、上記のような問題を解決する為になされたもので、庫内の食品温度、消費電力に影響を与えること無く、霜取り制御を行える冷蔵庫の制御装置を得ることを目的とする。
【０００６】
【課題を解決するための手段】
請求項１の冷蔵庫の制御装置は、圧縮機を用いた冷凍サイクルの冷却器により生成された冷気をファンで強制的に循環させ、扉を有する冷蔵庫において、圧縮機の運転時間を積算する手段と、一日の各時間帯ごとの扉の平均開閉回数を求める手段と、この一日の各時間帯ごとの扉の平均開閉回数を使用状況に合わせ更新する手段と、圧縮機の運転時間が設定した時間となった場合、各時間帯ごとの扉の平均開閉回数を比較する手段と、扉の平均開閉回数の最も少ない時間帯が複数ある場合は、現時点よりも最も遠い時間帯を霜取り時間帯として選択する手段とを備えたことを特徴とする。
【０００７】
請求項２の冷蔵庫の制御装置は、圧縮機を用いた冷凍サイクルの冷却器により生成された冷気をファンで強制的に循環させ、扉及び外気温度検出手段を有する冷蔵庫において、圧縮機の運転時間を積算する手段と、一日の各時間帯ごとの扉の平均開閉回数を求める手段と、この一日の各時間帯ごとの扉の平均開閉回数を使用状況に合わせ更新する手段と、外気温度検出手段が検出した外気温度から単位時間毎の平均外気温度を演算する手段と、圧縮機の運転時間が設定した時間となった場合、各時間帯ごとの扉の平均開閉回数を比較する手段と、扉の平均開閉回数の最も少ない時間帯が複数ある場合は、平均外気温度が最も低い時間帯を霜取り時間帯として選択する手段とを備えたことを特徴とする。
【０００８】
請求項３の冷蔵庫の制御装置は、一日を所定時間ずつの時間帯に分け時間帯毎のその日の扉開閉回数と、ブロック毎の複数日の扉平均開閉回数を持ち一日経過した時点で前記その日の扉開閉回数から複数日の扉平均開閉回数をブロック毎に更新しこれを一日の各時間帯毎の扉平均開閉回数として用いることを特徴とする。
【０００９】
請求項４の冷蔵庫の制御装置は、霜取り時間帯を選択するタイミングは電源投入または前回の霜取り終了後より圧縮機運転積算時間が８時間経過した時点で行うことを特徴とする。
【００１０】
【発明の実施の形態】
実施の形態１．
以下、この発明の実施の形態１を図について説明する。図１は、この発明の実施の形態１による冷蔵庫の制御装置の全体構成図である。図において、１は冷媒を圧縮循環させる圧縮機、２はこの冷媒を蒸発させる冷却器、３はこの冷却器２により冷却された冷気を循環させるファン、４は扉の開閉を検知するドア検知器、５は冷蔵庫の周囲温度を検知する外気サーミスタ、６は冷蔵庫全体を制御する制御基板、７は制御手段、８は制御方法決定手段である。
【００１１】
図２〜図６はこの発明の実施の形態１による冷蔵庫の制御装置のフローチャート図である。図２〜図６を用いて実施の形態１の霜取りに入るまでの動作を説明する。
図３のステップ２０は圧縮機の運転時間を積算カウントする処理であり、図２のステップ１０における圧縮機運転積算時間の判定時にその値を使用する。
【００１２】
図４は１日を１２ブロック（時間帯）に分け各時間帯毎の扉の開閉回数のカウントおよび、その平均回数を演算する処理である。ステップ３０で扉開閉回数のカウントし、ステップ３１で扉の平均開閉回数を演算するが、扉の平均開閉回数を求める方法は各時間帯毎の扉開閉回数を基に、１日１回演算を行う。また下記演算方法を用いることで、各時間帯毎の８日間の平均扉開閉回数データを冷蔵庫の使用状況に合わせ、徐々に更新させることが可能となる。
８日間の平均扉開閉数＝［（８日間の平均扉開閉数）−｛（８日間の平均扉開閉数）×１／８）｝］＋（１日の扉開閉回数）
【００１３】
図５は図４の処理で求めた各時間帯毎の８日間の平均扉開閉回数データを比較し（ステップ４０）、最も８日間の平均扉開閉回数が少ない時間帯を選択する（ステップ４１）。また、平均扉開閉回数の最も少ない時間帯が複数ある場合は、現時点よりも最も遠い時間帯を選択する（ステップ４２）。そしてステップ４１、又はステップ４２で選択した時間帯を、霜取りを入れる時間帯として選択する（ステップ４３）。
【００１４】
図２は霜取りを開始するまでのフローを表したものである。ステップ１０で圧縮機の運転積算時間が８時間に達するまで待ち続ける。８時間経過した場合は、ステップ１１で図５の処理により霜取りを行う時間を選択する。その後ステップ１２ではステップ１１で選択した時間帯が来るのを待ち、その時間帯となった場合、霜取りを開始する（ステップ１３）。
【００１５】
この実施の形態によれば、従来のように圧縮機の運転率に影響されず、常に１日の内最も扉開閉回数が少ない時間帯を選んで霜取りを行うので庫内の食品温度、消費電力に影響を与えない。すなわち、従来は圧縮機の運転率により、霜取り開始の時間帯を選択する範囲が左右されていたが、圧縮機の運転率を無視することで、圧縮機の運転率が高い時間帯を選択する可能性がなくなったためである。そして、平均扉開閉回数データの最も少ない時間帯が複数あった場合には、現時点よりも最も遠い時間帯を選択するため、霜取りインターバルも極端に短くなることなく、毎日決まった時間帯にほぼ２４時間毎に霜取りを行うことができる。
【００１６】
実施の形態２．
以下、この発明の実施の形態２を図について説明する。図６，７はこの発明の実施の形態２による冷蔵庫の制御装置のフローチャート図である。
実施の形態２の霜取りに入るまでの動作も基本的には実施の形態１と平均扉開閉回数が最小である時間帯を選択するまでは同じである。
【００１７】
図７は図５の処理同様に霜取りを行う時間帯を選択する処理である。ただし、平均扉開閉回数が最小の時間帯が複数あれば、平均外気温度が低い時間帯の方を選択し霜取りを行う（ステップ６２）。
【００１８】
図６は平均外気温度を求める処理である。各時間帯の最高温度、最低温度を検出し（ステップ５０）、以下演算結果を平均温度とする（ステップ５１）。
平均温度＝｛（最高温度）＋（最低温度）｝÷２
【００１９】
この実施の形態２の冷蔵庫の制御装置は、さらに外気温度条件をも加味するため、夜型の家庭では実施の形態１の方法では逆に昼間外気温度が高い時間帯で霜取りを行うこともあるが、昼と夜で同じ扉開閉回数の時間帯があれば、外気温度が低い夜の時間帯を選択する為、庫内の食品温度、消費電力に与える影響はさらに少ない。
【００２０】
【発明の効果】
請求項１の冷蔵庫の制御装置は、圧縮機を用いた冷凍サイクルの冷却器により生成された冷気をファンで強制的に循環させ、扉を有する冷蔵庫において、圧縮機の運転時間を積算する手段と、一日の各時間帯ごとの扉の平均開閉回数を求める手段と、この一日の各時間帯ごとの扉の平均開閉回数を使用状況に合わせ更新する手段と、圧縮機の運転時間が設定した時間となった場合、各時間帯ごとの扉の平均開閉回数を比較する手段と、扉の平均開閉回数の最も少ない時間帯が複数ある場合は、現時点よりも最も遠い時間帯を霜取り時間帯として選択する手段とを備えた構成にしたので、霜取りインターバルが極端に短くなることがなく、毎日ほぼ２４時間毎に霜取りを行うことができる。
【００２１】
請求項２の冷蔵庫の制御装置は、圧縮機を用いた冷凍サイクルの冷却器により生成された冷気をファンで強制的に循環させ、扉及び外気温度検出手段を有する冷蔵庫において、圧縮機の運転時間を積算する手段と、一日の各時間帯ごとの扉の平均開閉回数を求める手段と、この一日の各時間帯ごとの扉の平均開閉回数を使用状況に合わせ更新する手段と、外気温度検出手段が検出した外気温度から単位時間毎の平均外気温度を演算する手段と、圧縮機の運転時間が設定した時間となった場合、各時間帯ごとの扉の平均開閉回数を比較する手段と、扉の平均開閉回数の最も少ない時間帯が複数ある場合は、平均外気温度が最も低い時間帯を霜取り時間帯として選択する手段とを備えた構成にしたので、外気温度の低い夜の時間帯に霜取りを行うため、食品温度、消費電力に与える影響は少ない。
【００２２】
請求項３の冷蔵庫の制御装置は、一日の内最も扉開閉回数の少ない時間帯を選んで霜取りを行うので、庫内の食品温度、消費電力に影響を与えない効果を有する。
【００２３】
請求項４の冷蔵庫の制御装置は、霜取りインターバルが８時間以上保たれることから冷却効率を損なうことがない効果を有する。
【図面の簡単な説明】
【図１】この発明の実施の形態１による冷蔵庫の制御装置の全体構成図である。
【図２】この発明の実施の形態１による冷蔵庫の制御装置のフローチャート図である。
【図３】この発明の実施の形態１による冷蔵庫の制御装置のフローチャート図である。
【図４】この発明の実施の形態１による冷蔵庫の制御装置のフローチャート図である。
【図５】この発明の実施の形態１による冷蔵庫の制御装置のフローチャート図である。
【図６】この発明の実施の形態２による冷蔵庫の制御装置のフローチャート図である。
【図７】この発明の実施の形態２による冷蔵庫の制御装置のフローチャート図である。
【符号の説明】
１  圧縮機、２  冷却器、３  ファン、４  ドア検知器、５  外気サーミスタ、６  制御基板、７  制御手段。
【図１】
0003579169.tif 000002
【図２】
0003579169.tif 000003
【図３】
0003579169.tif 000004
【図４】
0003579169.tif 000005
【図５】
0003579169.tif 000006
【図６】
0003579169.tif 000007
【図７】
0003579169.tif 000008